(57)【特許請求の範囲】
【請求項１】
プラテン（１１）、プラテン上に装填された媒体（１２）に負圧を加えるための第１の構成要素（１４）の一部である複数の負圧室（１５０、１５１）、前記複数の負圧室に接続される一つの負圧導管であって、第２の構成要素（８０）の一部である負圧導管、および負圧導管に接続された負圧源（８２）を備え、
第１の構成要素（１４）は前記複数の負圧室を形成するよう中空構造を有し、第１の構成要素（１４）がその一つの面（１２０）において第２の構成要素（８０）に取り付けられることを特徴とする媒体押さえ装置。
【請求項２】
前記第１の構成要素（１４）が前記第２の構成要素（８０）とは異なる材料から作られていることを特徴とする請求項１に記載の媒体押さえ装置。
【請求項３】
前記プラテン（１１）が前記第１の構成要素（１４）と同じ材料から作られていることを特徴とする請求項１または請求項２に記載の媒体押さえ装置。
【請求項４】
前記第１の構成要素（１４）には、その長さ方向に広がり横方向の仕切り壁（１４４、１４７、１４３、２４４、２４８、２４９、２４３、３４４、３５０、３４３；７４４、７５０、７４３）により分離されている複数の前記負圧室（１５０、１５１）を有することを特徴とする請求項１、請求項２、または請求項３に記載の媒体押さえ装置。
【請求項５】
前記負圧室（１５０ａ、１５０ｂ、１５１ａ、１５１ｂ）には前記負圧導管（８０）に連絡している複数の孔（１６０）があり、孔の数、大きさ、および配置のパタ−ンが所要空気流特性に依存していることを特徴とする請求項１、２、３、または４に記載の媒体押さえ装置。
【請求項６】
複数の孔（１５）を有するプラテン（１１）およびプラテンを横断して前進する媒体（１２）に負圧を加えるための複数の負圧室（１５０ａ、１５０ｂ）を備え、プラテンの長さ方向の少なくとも一部において、前記複数の負圧室（１５０ａ、１５０ｂ）が媒体前進の方向（方向Ｍ）に対し前と後に列を成して配置され、同じ負圧源（８２）に接続され、前記複数の負圧室（１５０ａ、１５０ｂ）がプラテンに結合する中空構造の部材（１４）の一部であることを特徴とする媒体押さえ装置。
【請求項７】
前記負圧室（１５０、１５１）が負圧導管（８０）により前記負圧源（８２）に接続され、前記各負圧室の一つ以上の孔（１６０）が負圧導管と連絡し、孔（１６０）の数および／または大きさおよび／またはパタ−ンが前記負圧室の列ごとに異なるようになっていることを特徴とする請求項６に記載の媒体押さえ装置。
【請求項８】
プラテン（１１）およびプラテン上に装填された媒体（１２）に負圧を加えるための複数の負圧室（１５０、１５１）を備えた媒体押さえ装置であって、それぞれの仕切り壁（１４４、１４７、１４３、２４４、２４８、２４９、２４３、３４４、３５０、３４３；７４４、７５０、７４３）がプラテンに沿って配置され隣接して組を成す負圧室（１５０、１５１）を分離し、各負圧室（１５０、１５１）がそれぞれの経路により所定負圧ｐを加えることができる単一の負圧源（８２）に接続され、かつ、前記仕切り壁がプラテンの一端から他方まで広がる実質的にすべての幅の媒体（１２）に対して媒体に加えられる最低負圧が所定負圧ｐより小さい所定負圧ｑ以下に低下しないように設置されていて、
負圧室（１５０ａ、１５０ｂ）が前記プラテンに接続する中空構造の第１の構成要素（１４）の一部であり、前記それぞれの経路が第２の構成要素（８０）の一部である単一の負圧導管を介して前記単一の負圧源（８２）に接続され、
第１の構成要素（１４）がその一つの面（１２０）において第２の構成要素（８０）に取り付けられることを特徴とする媒体押さえ装置。
【請求項９】
プラテン（１１）に沿って負圧室（１５０、１５１）および負圧室分離仕切り壁（１４７、２４８、２４９、３５０、７５０）が設置されている媒体押さえ装置（１０）における前記負圧室（１５０、１５１）を仕切る負圧室分離仕切り壁（１４７、２４８、２４９、３５０、７５０）の位置を決定する方法において、プラテン（１１）の上に装填された媒体（１２）にその幅のいかんに関わらず、負圧源（８２）からの十分な負圧を実質的に常時作用させるために、前記媒体の幅に対応した位置あるいはその近隣部分に負圧室分離仕切り壁（１４７、２４８、２４９、３５０、７５０）を設置し、所定の負圧ｑを保持するようにして、
負圧室（１５０ａ、１５０ｂ）が前記プラテンに接続する中空構造の第１の構成要素（１４）の一部であり、分離された負荷室のそれぞれが第２の構成要素（８０）の一部である単一の負圧導管を介して前記単一の負圧源（８２）に接続され、
第１の構成要素（１４）がその一つの面（１２０）において第２の構成要素（８０）に取り付けられたことを特徴とする方法。
【請求項１０】
複数の孔（１５）を有するプラテン（１１）およびプラテンを横断して前進する媒体（１２）に負圧を加えるための複数の負圧室（１５０ａ、１５０ｂ）を有する媒体押さえ装置（１０）を備え、前記プラテンの長さの少なくとも一部に対して、前記負圧室（１５０ａ、１５０ｂ）が媒体前進の方向（Ｍ）に対し前と後に列を成して設置され、同じ負圧源（８２）に接続されて、前記複数の負圧室（１５０ａ、１５０ｂ）がプラテンに結合する中空構造の部材（１４）の一部であることを特徴とするハ−ドコピ−装置。
【請求項１１】
プラテン（１１）およびプラテンを横断して前進する媒体（１２）に負圧を加えるための複数の負圧室（１５０ａ、１５０ｂ）を有する媒体押さえ装置（１０）を備え、前記プラテンの長さの少なくとも一部に対して、前記負圧室（１５０ａ、１５０ｂ）が、媒体前進の方向（Ｍ）に対し前と後に列を成して設置され、同じ負圧源（８２）に接続され、前記プラテン（１１）は孔（９１）を備え、その少なくとも幾つかは非対称の断面を有していることを特徴とするハードコピー装置。
【請求項１２】
プラテン（１１）、プラテン上に装填された媒体（１２）に負圧を加えるための複数の負圧室（１５０、１５１）、前記複数の負圧室に接続される一つの負圧導管、および負圧導管に接続された負圧源（８２）を有する媒体押さえ装置を備え、前記負圧室が第１の構成要素（１４）の一部であり、前記負圧導管が第２の、別の構成要素の一部であり、第１の構成要素（１４）は前記複数の負圧室を形成するよう中空構造を有し、第１の構成要素（１４）がその一つの面（１２０）において第２の構成要素（８０）に取り付けられることを特徴とするハ−ドコピ−装置。
【発明の詳細な説明】
【０００１】
【発明の属する技術分野】
本発明は、プリンタ、複写機、スキャナ、およびファクシミリ機械のようなハ−ドコピ−装置に用いる媒体押さえ装置に関する。特に本発明は、媒体をプラテン上で平らに維持する吸引または負圧による媒体押さえ装置に関する。
【０００２】
【従来の技術】
このような押さえ装置を備えたこれまでの装置の一例は、ＨＰ  ＤｅｓｉｇｎＪｅｔ１０００プリンタであり、その多数の特徴は、欧州特許出願、出願番号ＥＰ−Ａ−０９９７３０８（以下、ＥＰ−Ａ−０９９７３０８）に開示されている。このプリンタの押さえ装置は、プラテン、プラテンの上に装填された媒体に負圧を加えるための複数の負圧室、前記負圧室に接続された負圧導管、および前記負圧導管に接続された負圧源を備えている。負圧室および負圧導管は、押し出しアルミニウムの単一板から製造されている。しかし、負圧室の間の壁を別個の製造工程で付加しなければならない。その上、負圧室を負圧導管に接続する孔を加工する他の製造工程を更に設けなければならない。これら追加製造工程は時間を費消し、出費を増大させる。
【０００３】
このようなプリンタが備えている負圧室は比較的少数であるから、特定の幅の媒体に対してプラテンで加えられる圧力が低くなりすぎる傾向がある。一つの解決法は、最小圧力を上げるために最大圧力のレベルを上げることであるが、この方法ではより大きいファン、またはより多くのファンが必要であり、騒音レベルが増大することになる。
【０００４】
このようなプリンタの更なる短所は、プラテンの長さ方向の位置により加えられる圧力が均一でないことである。これは主として、より大きい負圧室を設けることによりプラテンの長さ方向に限られた数の孔しか設置できないということによる。事実、更に多数の孔を設けると、一つの負圧室と流体連絡しているすべての孔を覆うことができない小さい媒体を装填するとき圧力の損失が高くなることがある。
【０００５】
再びＨＰ  Ｄｅｓｉｇｎ  Ｊｅｔ  １０００プリンタを参考にすると、このプリンタはプラテンおよびプラテン上に装填された媒体に負圧を加えるため、プラテンの下に単一列上に設置された複数の負圧室を設けている。媒体がプラテンに導入されているとき、媒体の前縁がプラテンの入力側に最も近いプラテン孔の上を通るとすぐ負圧の効果が小さい影響を示し始める。しかし、媒体の前縁がプラテンのすべての孔を覆うまで、すなわち、媒体がプラテンの出力側に接近するまで、十分に高い負圧が媒体に加えられない。従って、媒体がプラテンに対して正しく水平なっていない状態でかなりの距離を進行する可能性があり、特に印刷を媒体の縁まで正しく行なう場合に、印刷品質に問題を生ずる可能性がある。
【０００６】
さらにＨＰ  Ｄｅｓｉｇｎ  Ｊｅｔ  １０００プリンタを参考にすると、このプリンタは、プラテンおよびプラテン上に装填された媒体に負圧を加えるための複数の負圧室を備える。プラテンの長さ方向に沿って配置された負圧室は仕切り壁により隣接する負圧室から仕切られ、各負圧室がそれぞれの経路により負圧ｐを加えることができる負圧源に接続されている。このプリンタでは、負圧室の仕切り壁の位置が３６インチおよび４２インチ（９１４ｍｍおよび１０６７ｍｍ）のような規格の媒体の幅に対応するよう選択されている。しかし、媒体のありえる範囲のすべての（特に幅の狭い）媒体に対して、負圧源が非効率な使われ方をしないようにする方策は取られていない。
【０００７】
【発明が解決しようとする課題】
従って、上述のような従来技術の短所を克服するする技術が要望される。また、媒体の幅がどうであろうとプラテン上に装填された媒体の実質的にすべての幅の範囲で十分な負圧を実質的に常時確実に維持しながら上述の短所を克服する技術が要望される。
【０００８】
【課題を解決するための手段】
本発明の第１の態様によれば、プラテン、プラテン上に装填された媒体に負圧を加えるための第１の構成要素の一部である複数の負圧室、前記複数の負圧室に接続される一つの負圧導管であって、第２の構成要素の一部である負圧導管、および負圧導管に接続された負圧源を備え、第１の構成要素は前記複数の負圧室を形成するよう中空構造を有し、第１の構成要素がその一つの面において第２の構成要素に取り付けられることを特徴とする媒体押さえ装置が提供されている。本発明の第２の態様によれば、第１の態様において、前記第１の構成要素が前記第２の構成要素とは異なる材料から作られている。本発明の第３の態様によれば、第１又は第２の態様において、前記プラテンが前記第１の構成要素と同じ材料から作られている。本発明の第４の態様によれば、第１、第２、又は、第３の態様において、前記第１の構成要素には、その長さ方向に広がり横方向の仕切り壁により分離されている複数の前記負圧室を有する。本発明の第５の態様によれば、第１、第２、第３、又は、第４の態様において、前記負圧室には前記負圧導管に連絡している複数の孔があり、孔の数、大きさ、および配置のパタ−ンが所要空気流特性に依存している。
【０００９】
第１の構成要素は好適には成形されている。これには負圧室の間の壁および負圧室と導管との間の連絡孔を成形プロセスで作ることができるという長所がある。第１の構成要素は、プラスチック材料から一般的に作られるが、これには重さが比較的軽いという長所がある。
【００１０】
第２の構成要素は、好適には金属、たとえば、鋼板を材料として作られる。これには比較的廉価でありながらハ−ドコピ−機に構造的剛性を与えるという長所がある。
【００１１】
第１の構成要素は、一個の第２の構成要素の長さ方向に設置された２個、３個、またはそれ以上の副構成要素から作ることができる。
【００１２】
本発明の第６の態様によれば、複数の孔を有するプラテンおよびプラテンを横断して前進する媒体に負圧を加えるための複数の負圧室を備え、プラテンの長さ方向の少なくとも一部において、前記複数の負圧室が媒体前進の方向に対し前と後に列を成して配置され、同じ負圧源に接続され、前記複数の負圧室がプラテンに結合する中空構造の部材の一部であることを特徴とする媒体押さえ装置が提供されている。本発明の第７の態様によれば、第６の態様において、前記負圧室が負圧導管により前記負圧源に接続され、前記各負圧室の一つ以上の孔が負圧導管と連絡し、孔の数および／または大きさおよび／またはパタ−ンが前記負圧室の列ごとに異なるようになっている。
【００１３】
上の装置の長所は、媒体の前縁が最前列である第１の列の負圧室と連絡しているすべての孔を実質的に覆うとすぐに媒体に十分な負圧が加えられることである。
【００１４】
好適な実施形態は、２列の負圧室を備えているが、必要なら３列以上の負圧室を設けてよい。
【００１５】
好適には、第１の列を成す負圧室を互いに分離する壁は、第２の列を成す負圧室を互いに分離する壁と同列的に並べられている。負圧室と負圧導管との間には孔が設けられ、好適な実施形態では、孔の数および／または大きさおよび／またはパタ−ンが、負圧室の列ごとに異なるような配置になっている。これには媒体がプラテンに到達するときまたはプラテンを離れるときに媒体に及ぼす吸引の効果を一層精密に制御できるという長所がある。
【００１６】
本発明の第８の態様によれば、プラテンおよびプラテン上に装填された媒体に負圧を加えるための複数の負圧室を備えた媒体押さえ装置であって、それぞれの仕切り壁がプラテンに沿って配置され隣接して組を成す負圧室を分離し、各負圧室がそれぞれの経路により所定負圧ｐを加えることができる単一の負圧源に接続され、かつ、前記仕切り壁がプラテンの一端から他方まで広がる実質的にすべての幅の媒体に対して媒体に加えられる最低負圧が所定負圧ｐより小さい所定負圧ｑ以下に低下しないように設置されていて、負圧室が前記プラテンに接続する中空構造の第１の構成要素の一部であり、前記それぞれの経路が第２の構成要素の一部である単一の負圧導管を介して前記単一の負圧源に接続され、第１の構成要素がその一つの面において第２の構成要素に取り付けられることを特徴とする媒体押さえ装置が提供されている。
【００１７】
前記負圧値ｑは好適には１インチ（２５．４ｍｍ）の水頭圧が生ずる負の圧力に相当する（以下、単位ｉｎｃｈＨ2ＯおよびｍｍＨ2Ｏで示す）。ｐの値は通常−２ｉｎｃｈＨ2Ｏ（−５０．８ｍｍＨ2Ｏ）である。
【００１８】
好適には所定幅の媒体に対して、媒体に加えられる最低負圧がｒ（ｑとｐとの間）より低くならないような配置になっている。
【００１９】
２４インチ（６１０ｍｍ）以上の普通の媒体幅に対して、ｒは好適に−１．７５ｉｎｃｈＨ2Ｏ（−４４．５ｍｍＨ2Ｏ）である。より小さい普通の媒体幅に対して、ｒは好適に−１．４０ｉｎｃｈＨ2Ｏ（−３５．６ｍｍＨ2Ｏ）である。
【００２０】
本発明の第９の態様は、媒体押さえ装置の負圧室を仕切る壁を設置する位置を決定する方法に関する。プラテンに沿って負圧室および負圧室分離仕切り壁が設置されている媒体押さえ装置における前記負圧室を仕切る負圧室分離仕切り壁の位置を決定する方法において、プラテンの上に装填された媒体にその幅のいかんに関わらず、負圧源からの十分な負圧を実質的に常時作用させるために、前記媒体の幅に対応した位置あるいはその近隣部分に負圧室分離仕切り壁を設置し、所定の負圧ｑを保持するようにして、負圧室が前記プラテンに接続する中空構造の第１の構成要素の一部であり、分離された負荷室のそれぞれが第２の構成要素の一部である単一の負圧導管を介して前記単一の負圧源に接続され、第１の構成要素がその一つの面において第２の構成要素に取り付けられたことを特徴とする方法が提供されている。
【００２１】
第２の部類にある仕切り壁を、３６インチ（９１４ｍｍ）、２４インチ（６１０ｍｍ）およびＡ３（２９７ｍｍ）のような媒体の通常の幅に対応する場所にまたはその場所に隣接して追加で設けることができる。第１の部類にある（すなわち、十分な負圧を維持するための）仕切り壁を第２の部類にある仕切り壁と一致させてまたは近接して設置する場合には、それらの一方を省略してよい。
【００２２】
負圧室を形成する構成要素をそれ自身、プラテンに沿って一般に同様の長さの複数の副構成要素に細分できるので、副構成要素の端壁が存在し、したがって第３の部類の壁を構成している。副構成要素の端は負圧梁に接続されている領域があり、これら領域を第４の部類の壁を構成する仕切り壁により副構成要素の残りの部分から分離できる。第１の部類にある仕切り壁が第３または第４の部類にある壁に一致してまたは近接して設置される場合には、第１の部類にある壁を省略してよい。
【００２３】
媒体の幅がどうであろうと、プラテンに沿って設置され、各々が一つ以上のそれぞれの孔により、負圧源に接続された負圧導管に接続されている複数の負圧室を備えている媒体押さえ装置のプラテン上に装填された媒体に十分な負圧が負圧源により実質的に常時確実に加えられる。前記孔の数、大きさ、および／またはパタ−ンに対して適切に異なる値が選択されてよい。
【００２４】
上記孔の態様および第９の態様を組み合わせることができる。
【００２５】
さらに、前記孔の数、大きさ、および／またはパタ−ンが前記室の少なくとも幾つかに対して異なってもよい。
【００２６】
下方にある負圧室と連絡をするのにプラテンに孔が必要であるが、媒体が孔を覆っていないとき孔を通る空気の流量を減らすために、これら孔の断面または直径を可能な限り小さくしておくべきであるが、紙の磨耗屑、くず、ごみ、またはインクなどにより簡単に孔が閉塞しないように小さすぎないようにすべきである。好適には、孔の断面を１ｍｍと３ｍｍとの間にする。通常の断面形状、たとえば、円形の場合、断面が小さすぎれば、たとえば、直径が２．０ｍｍ以下であれば、空気流が笛の音を発することが見いだされている。したがって、本発明は、笛の騒音およびそのユ−ザに及ぼす影響を克服または減らす方法を探求する。
【００２７】
本発明の第１０の態様によれば、複数の孔を有するプラテンおよびプラテンを横断して前進する媒体に負圧を加えるための複数の負圧室を有する媒体押さえ装置を備え、前記プラテンの長さの少なくとも一部に対して、前記負圧室が媒体前進の方向に対し前と後に列を成して設置され、同じ負圧源に接続されて、前記複数の負圧室がプラテンに結合する中空構造の部材の一部であることを特徴とするハ−ドコピ−装置が提供される。本発明の第１１の態様によれば、プラテンおよびプラテンを横断して前進する媒体に負圧を加えるための複数の負圧室を有する媒体押さえ装置を備え、前記プラテンの長さの少なくとも一部に対して、前記負圧室が、媒体前進の方向に対し前と後に列を成して設置され、同じ負圧源に接続され、前記プラテンは孔を備え、その少なくとも幾つかは非対称の断面を有していることを特徴とするハードコピー装置が提供される。本発明のこの態様は、孔の断面が対称であれば、騒音（笛の音）が、孔を通過するとき生ずるすべての差圧の和であるが、非対称の場合には、これら圧力の幾らかが騒音を増大させるが、それらの幾らかは騒音を減らし、その結果が強度の低い笛の音になるということの理解に基づいている。換言すれば、非対称空気流を与えることを探求し、これを孔の周りの曲がり構成を非対称にすることにより達成できる。
【００２８】
したがって本発明の好適な実施形態では、プラテンに孔があり、その少なくとも幾つかは非対称断面を有している。
【００２９】
本発明の第１２の態様によれば、プラテン、プラテン上に装填された媒体に負圧を加えるための複数の負圧室、前記複数の負圧室に接続される一つの負圧導管、および負圧導管に接続された負圧源を有する媒体押さえ装置を備え、前記負圧室が第１の構成要素の一部であり、前記負圧導管が第２の、別の構成要素の一部であり、第１の構成要素は前記複数の負圧室を形成するよう中空構造を有し、第１の構成要素がその一つの面において第２の構成要素に取り付けられることを特徴とするハ−ドコピ−装置が提供される。
【００３０】
【発明の実施の形態】
図１１を参照すると、プリンタ１１１０が台脚１１１４に取付けられたハウジング１１１２を備えている。ハウジングは左および右の駆動機構外囲器１１１６および１１１８を備えている。制御パネル１１２０が右外囲器１１１８に取付けられている。蓋１１２２の下に仮想線で示した往復台組立体１１００が、これも仮想線で示してある往復台バ−１１２４に沿って往復運動するようになっている。往復台組立体１１００は、それぞれ異なる色のインク（たとえば、黒、マゼンタ、シアン、および黄色のインク）を貯える４個のインクジェット印字ヘッド１１０２、１１０４、１１０６、１１０８、および光学センサ１１２５を備えている。往復台組立体１１００が印刷媒体（例えば、印刷用紙）１１３０から相対的にみてＭ軸およびＹ軸の方向に移動するにつれて、印字ヘッド１１０２、１１０４、１１０６、１１０８の所定ノズルが作動してインクを媒体１１３０に加える。３個のカラ−印字ヘッドからの色は混合してどんな他の特定の色をも作り出す。水平または往復台走査軸（Ｙ）方向の往復台組立体１１００の位置は、エンコ−ダ・ストリップ（図示せず）に対して往復台位置決め機構により決まる。紙のような印刷媒体１１３０が媒体軸機構（図示せず）により垂直または媒体軸（Ｍ）方向に位置決めされる。ここに使用するかぎり、媒体軸を１１０１と記したＭ軸と呼び、走査軸を１１０３と記したＹ軸と呼ぶ。
【００３１】
図１は、本発明によるプリンタの媒体押さえ装置１０の概略断面図を示す。装置のさまざまな部品は尺度に合わせて図示していない。装置は、下から吸引力を加えて媒体１２をプラテン上に平らに保持できるように、プラテンを貫く孔１５を有するプラテン１１を備えている。適切なプラテンおよび押さえ装置１０の他の構成要素の、構造的細目をＥＰ−Ａ−０９９７３０８に見ることができる。図示したように、媒体１２は、プラテンより狭いので、領域Ａではプラテン孔は開いているが、図１において、プラテン１１の右半分の孔は媒体により閉じられている。したがって矢印１６により示された領域Ａの下の孔を通る空気流は、媒体１２の下にある孔１５を通る空気流よりはるかに多い。
【００３２】
プラテン１１は、プラスチック材料の中空負圧ガイド１４の上に取付けられ、間に壁４１〜４３を有する一連の負圧室２１〜２４を備えている。負圧室は、空気流の矢印により図１に示したその底面に孔６１〜６４を備えている。プラテン１１のプラスチック材料は、好適には、構造強度のための１５％炭素繊維および低摩擦目的の６％ＰＴＦＥが入っているポリカ−ボネ−トである。ガイド１４は、プラテン１１の性質に合致するように同じ材料から作られている。
【００３３】
負圧ガイド１４は、構造的負圧梁８０の上に取付けられている。梁はシ−ト金属、たとえばアルミニウムから作られ、中空で、その下面にファン・ボックス８２と連絡する、空気流矢印８１により示された孔を備えている。ファン・ボックスには、吸引効果を生ずることによりプラテン１１の上にある媒体１２の下に負圧を加えさせるファン（図示せず）が入っている。ファンが生ずる最大負圧は、−２ｉｎｃｈＨ2Ｏ（−５０．８ｍｍＨ2Ｏ）と等価である。
【００３４】
図１０は、プリンタ・ファンの代表的特性を示し、負圧と空気流との関係を示している。好適構成では、空気流の割合は、０．３ｍ3／ｍｉｎと０．４ｍ3／ｍｉｎとの間にある。したがって、本発明による装置では、さまざまな孔および通路の大きさ、特に孔６１〜６４の直径および深さは、この種のプリンタに最も普通に使用されている媒体を採用するとき、特に空気流の割合を０．４ｍ3／ｍｉｎの値より低くしておくよう努めることにより、図１０の特性に合致する。
【００３５】
図１にあるように、プラテン１１を貫通し負圧室２１および２２の上面と連絡している孔１５は領域Ａでは媒体により覆われてないため、孔６１および６２では空気の流入により空気流量が増大する。しかし、負圧室にある孔６１〜６４の開口面積は各負圧室２１〜２４の下面の面積に比較して小さいので、孔６１および６２で空気流に対し相当の抵抗が生じ、孔６１および６２からの空気流入が制限される。従って、空気流量が所定以上に増大することなく、負圧室２３および２４では必要な負圧が媒体１２に対し保持される。負圧は空気流量が増大するにつれて減少するが、負圧の減少は許容し得るレベルに維持される。
【００３６】
高い負圧および所要流量を維持する必要性のため、本発明による装置は、負圧および流量が所定の限界値内にあるように流れ制限孔６１〜６４の寸法を決め、仕切り壁４１〜４３の位置を決めるよう設計されている。このような構成を用いて、可能なかぎり均等な負圧を媒体に加え、且つファンの所要電力を可能なかぎり低く抑える。
【００３７】
図２から図５は、負圧梁８０（図２から図５には図示してない）に沿って端と端とをつないで設置され、負圧ガイド１４を構成している三つの別々の副構成要素１１４、２１４、および３１４を示している。図２ないし図３は、右副構成要素１１４の上面および下面図を示し、図４は、中央副構成要素２１４を示し、図５は、左副構成要素３１４を示している。ガイドは４２”（１０６７ｍｍ）プリンタに使用するためのものである。
【００３８】
副構成要素１１４は、開放長方形箱の一般形態を有し、端壁１１５、１１６、および長壁１１７、１１８を有している。負圧梁８０に取付けるため、副構成要素１１４の下面１２０に中心部にあけた二つの固定孔１２１、１２２、および両端の端接続部分１２９にそれぞれ二つの追加固定孔１２３、１２４、および１２５、１２６が設けられている。孔１２３〜１２６は、壁１１７および１１８の端部から突出する腕１３３〜１３６の端に設けられている。腕１３３〜１３６の周りの端接続部分１２９には下面１２０が無いことに注意する。端接続部分１２９の下に、梁８０の上に負圧ガイドを梁に接続する直径７ｍｍの単独孔が設けられている。
【００３９】
端接続部分１２９は、端壁に平行な仕切り壁１４３、１４４により副構成要素の残りの部分から分離されている。仕切り壁１４３、１４４の間の空間が更に他の仕切り壁１４７により分離された二つの負圧室１５０、１５１を形成しており、各負圧室１５０、１５１はそれ自身、長手方向に広がる中間壁１５３により、前室および後室、それぞれ、１５０ａおよび１５０ｂ、１５１ａおよび１５１ｂとに分割されている。副構成要素１１４に沿って散在する内部の、全般的にＶ型の区画１５６は、剛性を向上するのに役立つ。
【００４０】
各負圧室の底面に管状部材１６１の形を成して副構成要素の下側から現われる円形孔１６０が設けられている。副構成要素１１４の下で、梁８０の上部に管状部材１６１を受容するよう構成された孔（図示せず）が設けられている。部材１６１は金属材料にある孔に入るプラスチック材料で作られており、また部材１６１の周囲表面に製造時における誤差による凹凸があるため、部材１６１の周りで空気が不必要に流入する恐れがある。したがって副構成要素１１４の下面１２０を、発泡エチレン−プロピレンターポリマー（formed ethylene-propylene terpolymer）の封止材料（図示せず）で覆って空気が流入するのを防いでいる。後に副構成要素１１４を梁８０に取付けるとき、取り付け精度に影響を及ぼさないよう、前記発泡封止材料を施す厚さおよび面積を慎重に制御する。
【００４１】
長壁１１７および１１８の上縁にプラテン１１を取付けるための複数のねじ孔１６３が設けられている。丸孔１６５および細長い孔１６６がプラテン１１の最初の位置決め機能のために設けられている。縁クリップ部材１６９が後にプリンタの蓋部材を取付けるために設けられている。
【００４２】
副構成要素２１４は副構成要素１１４と同様に形成されている。副構成要素２１４には端壁２１５、２１６、端接続領域１２９を分離する仕切り壁２４３、２４４、および別の仕切り壁２４８、２４９がある。
【００４３】
副構成要素３１４も副構成要素１１４と同様に形成されている。副構成要素３１４には端壁３１５、３１６、仕切り壁３４３、３４４、および別の仕切り壁３５０がある。
【００４４】
副構成要素は単一負圧梁８０の上に端から端をつないで設置され、図２、図４、および図５にミリメ−トルで記した数は、すべての端壁および仕切り壁の右副構成要素１１４の右端壁１１５からの距離を示している。
【００４５】
図７は、プラテン１１の上面の一部の拡大図を示す。ＥＰ−Ａ−０９９７３０８から知られるように、印刷媒体を平らにしておくのに、負圧室１５０、１５１と連絡している孔９１に至るプラテンの表面に印刷域負圧溝または窪み９０が設けられている。しかし、従来技術のように対称である代わりに、プラテン１１を貫く孔９１の断面は非対称である。したがって各孔の上縁９１は、比較的険しい傾斜の部分９３およびあまり険しくない傾斜部分９４を備えている。二つの部分９３、９４はリブ９５により分離されている。
【００４６】
押さえ装置は、各副構成要素１１４、２１４、３１４を各６本の小ねじによりシ−ト金属負圧梁８０の上面に取付けることにより組立られる。副構成要素１１４では、たとえば小ねじは孔１２１〜１２６を通過している。次に副構成要素のすべての上面を精密に平らに機械加工し、それらの面がプラテン１１の正確な基準になるようにする。これにより負圧梁に取付ける間にプラスチック部品に加わったゆがみの影響が除去される。
【００４７】
次にプラテン１１を最初に、各二つのスナップ嵌合取付け具により負圧ガイド副構成要素の機械加工面に取付ける。次に、プラテンをプラテンの一端から始めて小ねじを孔１６３に挿入し、それらをプラテンの長さ方向に順次締め付けて平坦度の問題を避けることにより、副構成要素に固定する。
【００４８】
使用にあたり、媒体１２を、一方の縁を実質的にプラテン１１の右縁において挿入する。実際には、図示した実施形態では、媒体１２の縁に対するガイドは図２の０ｍｍ指示の左１４．３７５ｍｍにある。幾つかの通常の幅の媒体では、もう片方の縁は仕切り壁の一つと実質的に同列または近接するところに位置される。
【００４９】
幅４２インチ（１０６７ｍｍ）、３６インチ（９１４ｍｍ）、および２４インチ（６１０ｍｍ）のような２４インチ（６１０ｍｍ）以上の通常の媒体幅に対して、負圧が少なくとも−１．７５ｉｎｃｈＨ2Ｏ（−４４．５ｍｍＨ2Ｏ）を維持できる位置に仕切り壁を配置する。Ａ３（２９７ｍｍ）およびＡ４（２１０ｍｍ）のような２４インチ（６１０ｍｍ）より少ない通常の媒体幅に対しては、負圧が少なくとも−１．４５ｉｎｃｈＨ2Ｏ（−３５．６ｍｍＨ2Ｏ）となるようにする。頻繁には使用されない他の媒体幅に対しては、負圧が少なくとも−１ｉｎｃｈＨ2Ｏ（−２５．４ｍｍＨ2Ｏ）となるようにする。これを、ガイドと反対側の媒体の縁領域（すなわち、図１〜図５においては左側の縁）に加えられる負圧を媒体幅の関数として図６に示す。媒体幅が減少するにつれて、各場合にその左縁が負圧ガイドの仕切り壁と一致するというかなりな改善が見られることが注目される。
【００５０】
図６に示す負圧は、図１〜図５中の、媒体の左縁とそこから右方にある次の負圧室仕切り壁との間に広がる媒体の領域に加えられる負圧である。すべての場合に、媒体の残りの部分（すなわち、前記室仕切り壁と媒体の右縁との間）に加えられる圧力は、右方の次の仕切り壁に対応する曲線の最大値に等しい高い、実質的に一様な圧力である。
【００５１】
負圧に関する上述の所要の基準が厳密には満たせない、通常使用しない媒体幅のレンジが存在することを特記しておく。実際には、このような媒体幅が使用されることは稀であり、媒体幅約２００ｍｍより下を除き、性能の低下は顕著ではなく、またこのような小さい媒体幅はこの種のプリンタには実際には使用されないから、重大な問題ではない。負圧室の列の左の方の壁の間の距離が列の中心に近い壁の間の距離より大きいことにも注目される。これは、図６の左側では負圧の最大値が比較的高く、水平軸方向でのかなりの間隔にわたって所定値以上の負圧を保持しているからである。
【００５２】
詳細に述べると、壁の位置と普通に使用される媒体幅との対応は次のとおりである。
【００５３】
媒体幅    媒体幅（ｍｍ）  壁位置（ｍｍ）
４２”        １０６７              １０６２
３６”          ９１４                ９４０
Ａ０            ８４１                  なし
２４”          ６１０                ６１８
Ａ１            ５９４                ６１８
Ｂ２            ５００                ５２７
Ａ２            ４２０                ４１０
Ａ３            ２９７                ２７２
Ａ４            ２１０                  なし
或る媒体幅に対しては壁が設けられていないことが注目される。これは、これらの値が図６の曲線上の、必要最低負圧、たとえば、Ａ０に対して−１．４ｉｎｃｈＨ2Ｏ（−３５．６ｍｍＨ2Ｏ）およびＡ４およびそれより小さい幅の媒体に対して−１ｉｎｃｈＨ2Ｏ（−２５．４ｍｍＨ2Ｏ）、より上にあるからである。Ａ３媒体の縁は、壁位置２７２ｍｍと３３７ｍｍとの間にある負圧室の上に位置する。幾つかの標準媒体幅がこの範囲内またはこの範囲に近接して存在し、これが加わる負圧をあまり低く低下しないようにするのに役立っているので、前記負圧室は小さい。
【００５４】
負圧梁８０への孔１６０の数、大きさ、およびパタ−ン（すなわち、位置）は、端接続領域１２９の下にある孔（図示せず）を考慮して、すべての媒体幅に対する所要吸引効果を与えるよう選択される。特にＡ３シ−トの左縁の下および近接に配置された孔１６０1の大きさは、この孔を有する負圧室１５０ｂがほとんどの大きさの媒体より覆われるので、より大きいものとしてよい。この孔１６０1の右方向にある一つ以上の孔をより大きいものとしてよい。
【００５５】
孔１６０の数、大きさ、およびパタ−ンは、プラテン１１の上を矢印Ｍ方向に走行する媒体１２の前縁および後縁に対して加わる負圧の特性を決定することにも関係する。中間壁１５３により、負圧室は媒体進行方向に対し前列と後列に分割される。媒体１２がプラテン１１に導入されるとき、媒体の前縁が最初に前列の負圧室上のプラテン孔１５を覆う。このとき、媒体の前縁はまだ後列の負圧室上のプラテン孔を塞ぐに至っていないため、後列のプラテン孔は開口状態にあり、そこから空気が流入する。しかし、流入する空気流量は後列負圧室下部に設けられた孔１６０により制限されるため、所要の負圧度が低下するまでには至らない。中間壁１５３により負圧室が分割されていなければ、開口状態にあるプラテン孔１５からの多量の空気が負圧室下部のすべての孔１６０を通って負圧源８２に流入し、負圧度を低下させる。そして、媒体押さえ装置は、負圧ガイドの幅Ｗのほぼ全域にわたって、すなわち、プラテン１１にあるすべての孔の上に広がる媒体１２対しに完全な吸引効果を与えられない。中間壁１５３の存在により、媒体押さえ装置は、従来より早い段階において実質的効果を発揮するようになる。なお、前縁に対するこの効果の量を孔１６０の数、大きさ、およびパタ−ンを適切に選定することにより制御できる。同様に、媒体１２がプラテン１１より排出されるときも、後列の負圧室により媒体の後縁部に所要の負圧が加えられるため、媒体は最後までプラテンに対し平坦さを保つことが可能となる。
【００５６】
上述の構成には多数の長所がある。たとえば、二つの別々の構成要素、すなわち、シ−ト金属負圧梁およびプラスチック負圧ガイドを媒体押さえ装置として構成するほうが、ＨＰ  Ｄｅｓｉｇｎ  Ｊｅｔ  １０００プリンタのアルミニウム押し出し単体で構成するより廉価である。成形プラスチック材料の使用も多数の他の特徴（たとえば、空気流を制御することまたはプラテンを固定するための成形ねじ孔を設けること）、を備えることを可能とする。負圧ガイド１４、１１４、２１４、３１４およびプラテン１１に同じプラスチック材料を使用すれば、温度が変化するとき膨張が異なるという問題が回避され、したがってプラテンが平らのままであり、印刷品質の低下が生じない。
【００５７】
二つの別々の構成要素を使用すれば、特に小型または中型の、たとえば、幅が４２”（１０６７ｍｍ）までの装置で、空気流を慎重に制御することも可能になる。
【００５８】
負圧ガイド１４に沿って仕切り壁１４７などを設ければ、すべての媒体幅に対して満足な負圧が確実に維持される。これはプラテン１１に従来技術のプリンタより多い数の孔がある場合でも確保され、孔の数が多ければ一層一様な圧力をプラテンの長さ方向に加えることができるという長所が得られる。
【００５９】
空気流を更に効率良くすることにより、より小さいファンを使用でき、したがって原価が節約され、騒音が減る。他に、梁に沿うファン・ボックス８２の位置を望みどおりに選定でき、二つ以上のファンを並列または直列にして使用できる。
【００６０】
区画１５６を設けると、特に副構成要素の上面を機械加工する間、副構成要素１１４の形状を維持するのに役立つ。
【００６１】
非対称孔９１を使用する利点は、媒体がプラテン全部を覆わないとき騒音レベルが増大しないということである。同時に、小さい孔開口部は空気流を少なく維持し、一様な負圧を媒体の下に与えることができる。
【００６２】
上述の構成にさまざまな修正を施すことができる。たとえば、仕切り壁１４７などを壁１１７から１１８まで、またはこれら壁の一つから中間壁１５３と同様の距離まで広げることができる（たとえば、仕切り壁１４３）。他の修正案では、１４７のような内部仕切り壁が存在しないので、壁１５３の両側に負圧室が一つあるだけである。代わりに、必要でなければ、中間壁１５３を省略してよい。更に他の修正案では、一つ以上の中間壁を設けることができ、３列以上から成る負圧室を構成できる。
【００６３】
プラテン１１を一つ以上の部品として設けることができ、部品の長さが副構成要素１１４、２１４、３１４の長さに対応できる。
【００６４】
梁８０を全体としてまたは部分的に負圧ガイド１４の側面に取り付けることができ、孔１６０の位置を適宜変えることができる。
【００６５】
負圧ガイド１４を単一構成要素から構成できる。代わりに負圧ガイド１４を、端と端とをつないで負圧梁８０に沿って延長する二つ、四つ、またはそれ以上の副構成要素から構成できる。
【００６６】
非対称の孔９１をその長さ方向に部分的または全体的に拡大できる。また、非対称性の特徴を孔ごとに変えることができ、事実孔の幾つか、特に通常は媒体により覆われる媒体押さえ装置の右端付近に位置する孔は従来技術の対称断面を有することができる。
【００６７】
図９は、２つの副構成要素から成る負圧ガイドの左側副構成要素を示し、右側副構成要素は図２および図３に示すものと同一である。これは２４インチ（６１０ｍｍ）プリンタに使用するものである。ミリメ−トルで表した数字は、端壁７１５、７１６および仕切り壁７４３、７４４、７５０の副構成要素１１４の右端からの距離を示す。他の点では、副構成要素７１４は副構成要素１１４、２１４、および３１４と同様の方法で製造され、取付けられる。
【００６８】
プリンタの範囲で二つの型式に一つの成形部品１１４を使用することにより規模の経済性という長所が得られる。
【００６９】
本発明は、以下に要約される。
【００７０】
１．プラテン（１１）、プラテン上に装填された媒体（１２）に負圧を加えるための第１の構成要素（１４）の一部である複数の負圧室（１５０、１５１）、前記複数の負圧室に接続される一つの負圧導管であって、第２の構成要素（８０）の一部である負圧導管、および負圧導管に接続された負圧源（８２）を備え、
第１の構成要素（１４）は前記複数の負圧室を形成するよう中空構造を有し、第１の構成要素（１４）がその一つの面（１２０）において第２の構成要素（８０）に取り付けられることを特徴とする媒体押さえ装置。
【００７１】
２．前記第１の構成要素（１４）が前記第２の構成要素（８０）とは異なる材料から作られていることを特徴とする第１項に記載の媒体押さえ装置。
【００７２】
３．前記プラテン（１１）が前記第１の構成要素（１４）と同じ材料から作られていることを特徴とする第１項または第２項に記載の媒体押さえ装置。
【００７３】
４．前記第１の構成要素（１４）には、その長さ方向に広がり横方向の仕切り壁（１４４、１４７、１４３、２４４、２４８、２４９、２４３、３４４、３５０、３４３；７４４、７５０、７４３）により分離されている複数の前記負圧室（１５０、１５１）を有することを特徴とする第１項、第２項、または第３項に記載の媒体押さえ装置。
【００７４】
５．前記負圧室（１５０ａ、１５０ｂ、１５１ａ、１５１ｂ）には前記負圧導管（８０）に連絡している複数の孔（１６０）があり、孔の数、大きさ、および配置のパタ−ンが所要空気流特性に依存していることを特徴とする第１項、第２項、第３項、または第４項に記載の媒体押さえ装置。
【００７５】
６．複数の孔（１５）を有するプラテン（１１）およびプラテンを横断して前進する媒体（１２）に負圧を加えるための複数の負圧室（１５０ａ、１５０ｂ）を備え、プラテンの長さ方向の少なくとも一部において、前記複数の負圧室（１５０ａ、１５０ｂ）が媒体前進の方向（方向Ｍ）に前と後に列を成して配置され、同じ負圧源（８２）に接続され、前記複数の負圧室（１５０ａ、１５０ｂ）がプラテンに結合する中空構造の部材（１４）の一部であることを特徴とする媒体押さえ装置。
【００７６】
７．前記負圧室（１５０、１５１）が負圧導管（８０）により前記負圧源（８２）に接続され、前記各負圧室の一つ以上の孔（１６０）が負圧導管と連絡し、孔（１６０）の数および／または大きさおよび／またはパタ−ンが前記負圧室の列ごとに異なるようになっていることを特徴とする第６項に記載の媒体押さえ装置。
【００７７】
８．プラテン（１１）およびプラテン上に装填された媒体（１２）に負圧を加えるための複数の負圧室（１５０、１５１）を備えた媒体押さえ装置であって、それぞれの仕切り壁（１４４、１４７、１４３、２４４、２４８、２４９、２４３、３４４、３５０、３４３；７４４、７５０、７４３）がプラテンに沿って配置され隣接して組を成す負圧室（１５０、１５１）を分離し、各負圧室（１５０、１５１）がそれぞれの経路により所定負圧ｐを加えることができる単一の負圧源（８２）に接続され、かつ、前記仕切り壁がプラテンの一端から他方まで広がる実質的にすべての幅の媒体（１２）に対して媒体に加えられる最低負圧が所定負圧ｐより小さい所定負圧ｑ以下に低下しないように設置されていて、
負圧室（１５０ａ、１５０ｂ）が前記プラテンに接続する中空構造の第１の構成要素（１４）の一部であり、前記それぞれの経路が第２の構成要素（８０）の一部である単一の負圧導管を介して前記単一の負圧源（８２）に接続され、
第１の構成要素（１４）がその一つの面（１２０）において第２の構成要素（８０）に取り付けられることを特徴とする媒体押さえ装置。
【００７８】
９．プラテン（１１）に沿って負圧室（１５０、１５１）および負圧室分離仕切り壁（１４７、２４８、２４９、３５０、７５０）が設置されている媒体押さえ装置（１０）における前記負圧室（１５０、１５１）を仕切る負圧室分離仕切り壁（１４７、２４８、２４９、３５０、７５０）の位置を決定する方法において、プラテン（１１）の上に装填された媒体（１２）にその幅のいかんに関わらず、負圧源（８２）からの十分な負圧を実質的に常時作用させるために、前記媒体の幅に対応した位置あるいはその近隣部分に負圧室分離仕切り壁（１４７、２４８、２４９、３５０、７５０）を設置し、所定の負圧ｑを保持するようにして、
負圧室（１５０ａ、１５０ｂ）が前記プラテンに接続する中空構造の第１の構成要素（１４）の一部であり、分離された負荷室のそれぞれが第２の構成要素（８０）の一部である単一の負圧導管を介して前記単一の負圧源（８２）に接続され、
第１の構成要素（１４）がその一つの面（１２０）において第２の構成要素（８０）に取り付けられたことを特徴とする方法。
【００７９】
１０．複数の孔（１５）を有するプラテン（１１）およびプラテンを横断して前進する媒体（１２）に負圧を加えるための複数の負圧室（１５０ａ、１５０ｂ）を有する媒体押さえ装置（１０）を備え、プラテンの長さの少なくとも一部に対して、負圧室（１５０ａ、１５０ｂ）が媒体前進の方向（Ｍ）に対し前と後に列を成して設置され、同じ負圧源（８２）に接続されて、前記複数の負圧室（１５０ａ、１５０ｂ）がプラテンに結合する中空構造の部材（１４）の一部であることを特徴とするハ−ドコピ−装置。
【００８０】
１１．プラテン（１１）およびプラテンを横断して前進する媒体（１２）に負圧を加えるための複数の負圧室（１５０ａ、１５０ｂ）を有する媒体押さえ装置（１０）を備え、前記プラテンの長さの少なくとも一部に対して、前記負圧室（１５０ａ、１５０ｂ）が、媒体前進の方向（Ｍ）に対し前と後に列を成して設置され、同じ負圧源（８２）に接続され、前記プラテン（１１）は孔（９１）を備え、その少なくとも幾つかは非対称の断面を有していることを特徴とするハードコピー装置。
【００８１】
１２．プラテン（１１）、プラテン上に装填された媒体（１２）に負圧を加えるための複数の負圧室（１５０、１５１）、前記複数の負圧室に接続される一つの負圧導管、および負圧導管に接続された負圧源（８２）を有する媒体押さえ装置を備え、前記負圧室が第１の構成要素（１４）の一部であり、前記負圧導管が第２の、別の構成要素の一部であり、第１の構成要素（１４）は前記複数の負圧室を形成するよう中空構造を有し、第１の構成要素（１４）がその一つの面（１２０）において第２の構成要素（８０）に取り付けられることを特徴とするハ−ドコピ−装置。
【００８２】
本発明を、構造的と方法的特徴に関してある程度特定的な言葉で説明したが、本明細書に開示した手段は本発明を実施する好ましい形態を含むものであり、本発明はこれら図示し記載された特定の特徴に制限されないことを理解されたい。したがって、本発明は、均等の原則に従って適切に解釈される特許請求の範囲に記載された範囲内におけるいかなる形態または変更についても含むものである。
【図面の簡単な説明】
【図１】本発明による媒体押さえ装置の概略断面図である。
【図２】本発明の第１の実施形態による媒体押さえ装置の負圧室を構成する副構成要素を上斜視図である。
【図３】本発明の第１の実施形態による媒体押さえ装置の負圧室を構成する副構成要素の下斜視図である。
【図４】本発明の第１の実施形態による負圧室を構成する別の副構成要素の上斜視図である。
【図５】本発明の第１の実施形態による負圧室を構成する別の副構成要素上斜視図である。
【図６】媒体押さえ装置上に装填された媒体の縁区域に加えられる負圧を媒体の幅に対して示すグラフである。
【図７】図２から図５で表された装置のプラテン表面の拡大上斜視図である。
【図８】図７で表された孔部分を拡大した図である。
【図９】本発明の第２の実施形態による媒体押さえ装置の負圧室の第２の副構成要素の上斜視図である。
【図１０】媒体押さえ装置のファンが発生する負圧を空気流量に対して示したグラフである。
【図１１】本発明の特徴を組み入れたインクジェットプリンタの斜視図である。
【符号の説明】
１０  媒体押さえ装置
１１  プラテン
１２  媒体
１４  第１の構成要素
８０  第２の構成要素、負圧導管、梁
８２  負圧源
９１  プラテンを貫通する孔
１４３  仕切り壁
１５０  負圧室
１５１  負圧室
１６０  負圧室と導管を連絡する孔
【図１】
0003745989.tif 000002
【図２】
0003745989.tif 000003
【図３】
0003745989.tif 000004
【図４】
0003745989.tif 000005
【図５】
0003745989.tif 000006
【図６】
0003745989.tif 000007
【図７】
0003745989.tif 000008
【図８】
0003745989.tif 000009
【図９】
0003745989.tif 000010
【図１０】
0003745989.tif 000011
【図１１】
0003745989.tif 000012